(57)【要約】  【課題】  訓練の効率を向上させることができる視力回復訓練装置を提供する。  【解決手段】  視力訓練用画像を表示する表示部２１と、訓練者５の目５１を撮影するカメラ４と、カメラ４が撮影した画像から訓練者５の目５１の向きを解析する解析部と、訓練者５へのメッセージを伝達するメッセージ伝達部とを備え、メッセージ伝達部は、解析部の解析結果から訓練者５が表示部２１の視力訓練用画像を注視していないと判断された場合、訓練者５にメッセージを伝達する。【選択図】  図１
2007021085.tif 000002
【特許請求の範囲】
【請求項１】
目の結像調節機能の訓練を行う視力回復訓練装置であって、
視力訓練用画像を表示する表示部と、
訓練者の目を撮影するカメラと、
前記カメラが撮影した画像から前記訓練者の目の向きを解析する解析部と、
前記訓練者へのメッセージを伝達するメッセージ伝達部と、を備え、
前記メッセージ伝達部は、前記解析部の解析結果から前記訓練者が前記表示部を注視していないと判断された場合、前記訓練者にメッセージを伝達する視力回復訓練装置。
【請求項２】
請求項１記載の視力回復訓練装置であって、
前記訓練者の目位置と前記表示部の位置との光学距離を変化させる移動制御部と、
前記光学距離に応じて、前記視力訓練用画像が前記訓練者の目の網膜上に一定のサイズで投影されるように前記視力訓練用画像の表示サイズを変化させる表示制御部と、
を備える視力回復訓練装置。
【請求項３】
請求項１または２記載の視力回復訓練装置であって、
前記カメラは、赤外線カメラである視力回復訓練装置。
【請求項４】
請求項１ないし３のいずれか記載の視力回復訓練装置であって、
前記メッセージ伝達部は、音声により前記メッセージを伝達する視力回復訓練装置。
【請求項５】
請求項１ないし３のいずれか記載の視力回復訓練装置であって、
前記メッセージ伝達部は、前記表示部に文字を表示することにより前記メッセージを伝達する視力回復訓練装置。
【発明の詳細な説明】
【技術分野】
【０００１】
本発明は、目の結像調節機能の訓練を行う視力回復訓練装置に関するものである。
【背景技術】
【０００２】
視力の低下は、目の調節筋（毛様体筋）の調節緊張や衰弱によって目の結像調節機能が低下することが一因と考えられ、この筋肉を訓練することによって、視力の回復を期待することができる。この方法は、毛様体筋を訓練によって活性化し、遠近調節機能を活発にすることで、視力の回復を図るものである。
【０００３】
そこで、調節筋の働きを活発にすることにより視力回復効果を向上させようとする視力回復装置が提案されている（例えば特許文献１参照）。この視力回復装置は、マークが表示された注視板を往復移動させて、マークを使用者に対して近接・離間させるものである。この装置の使用者がこのマークを注視すると、目の焦点が近距離と遠距離の間を連続して移動するので、調節筋が効率よく訓練される。
【０００４】
また、訓練者の眼球の向きが視標の動きに追随しているかどうか確認できる視力回復訓練装置も提案されている（例えば特許文献２参照）。この視力回復訓練装置は、視標を接眼光学系の光軸方向に対して略直角方向に移動させ、眼球が視標の移動に追従しているかどうかを検出して、訓練者の眼球が視標に追随できているかどうかを判定し、追従できている回数を訓練終了と同時に表示するものである。
【０００５】
【特許文献１】国際公開第２００４／０６６９００号パンフレット
【特許文献２】特開平８−２５７０７９号公報
【発明の開示】
【発明が解決しようとする課題】
【０００６】
しかしながら、上記のような視力回復装置においては、訓練者がマークを注視しなければならないが、子供などが訓練を行う場合には、マークを注視しつづけることが難しいという問題があった。
【０００７】
また、上記の視力回復訓練装置では、視標に追随できているかどうかが訓練終了までわからないため、一旦最後まで訓練を行い、その結果追随できていなければ再度訓練を行わなければならず、効率がよくない。
【０００８】
本発明は、上記事情に鑑みてなされたものであって、訓練の効率を向上させることができる視力回復訓練装置を提供することを目的とする。
【課題を解決するための手段】
【０００９】
本発明の視力回復訓練装置は、目の結像調節機能の訓練を行う視力回復訓練装置であって、視力訓練用画像を表示する表示部と、訓練者の目を撮影するカメラと、前記カメラが撮影した画像から前記訓練者の目の向きを解析する解析部と、前記訓練者へのメッセージを伝達するメッセージ伝達部と、を備え、前記メッセージ伝達部が、前記解析部の解析結果から前記訓練者が前記表示部を注視していないと判断された場合、前記訓練者にメッセージを伝達するものである。
【００１０】
従来は、一通り訓練を終えても、表示部を注視していなかったために訓練効果が上がらず、再度訓練を行わなければならない場合があったが、上記構成によれば、訓練者は、訓練中に、表示部を注視していないことを認識できる為、確実に表示部を注視しながら訓練を行うことが可能になり、訓練の効率を向上させることができる。
【００１１】
また、本発明の視力回復訓練装置は、前記訓練者の目位置と前記表示部の位置との光学距離を変化させる移動制御部と、前記光学距離に応じて、前記視力訓練用画像が前記訓練者の目の網膜上に一定のサイズで投影されるように前記視力訓練用画像の表示サイズを変化させる表示制御部と、を備える。
【００１２】
上記構成によれば、網膜上に結像する図形の大きさが一定となるので、調節筋を効率よく訓練できる。
【００１３】
また、本発明の視力回復訓練装置は、前記カメラが、赤外線カメラであるものである。
【００１４】
上記構成によれば、赤外線カメラは訓練者の瞳孔を検出する能力が高いため、訓練者の目の向きを正確に検出することが可能となる。
【００１５】
また、本発明の視力回復訓練装置は、前記メッセージ伝達部が、音声により前記メッセージを伝達するものである。
【００１６】
上記構成によれば、訓練を中断することなく、視力訓練用画像を注視するよう注意を促すことが可能となる。
【００１７】
さらに、本発明の視力回復訓練装置は、前記メッセージ伝達部が、前記表示部に文字を表示することにより前記メッセージを伝達するものである。
【００１８】
上記構成によれば、騒音などのある環境下でも注意を促すことが可能となる。
【発明の効果】
【００１９】
本発明によれば、訓練者は、訓練中に、表示部を注視していないことを認識できる為、確実に表示部を注視しながら訓練を行うことが可能になり、訓練の効率を向上させることができる。
【発明を実施するための最良の形態】
【００２０】
以下、本発明の実施の形態について、図面を用いて説明する。
【００２１】
図１は本発明の実施の形態の視力回復訓練装置の概略構成を示す図である。この視力回復訓練装置は、筐体１内に、視力訓練用画像を表示する表示手段２と、表示手段２を移動させる移動手段３と、訓練者５の目５１を撮影するカメラ４を備えている。
【００２２】
筐体１には、訓練者５が表示手段２の表示部２１の視力訓練用画像を注視するための接眼部１１が設けられており、訓練者５の目５１の視軸Ａと同じ高さの位置に視力訓練用画像が位置し、視軸Ａと視力訓練用画像が略垂直に交差するように、表示手段２が移動手段３のベルト３１に固定されている。移動手段３は、ベルト３１と、ベルト３１を回転させるモータ３２と、プーリー３３から構成され、モータ３２を駆動することにより、ベルト３１を介して表示手段２が視軸Ａの方向に移動する。
【００２３】
表示手段２の表示部２１は、例えば背面にバックライトを備えた液晶表示パネルからなり、後述する表示制御部からの制御信号に基づき、所定の形状及び大きさの視力訓練用画像を表示する。なお、表示部２１としては、液晶表示パネルに限らず、ＣＲＴディスプレイ、基板上に有機ＥＬ素子を形成した有機ＥＬ表示パネル等、各種表示デバイスが利用可能である。有機ＥＬ表示パネルは、自ら発光するので照明光が不要となり、小形軽量化を図ることができる。
【００２４】
また、カメラ４には赤外線カメラが用いられている。赤外線カメラは訓練者５の瞳孔を検出する能力が高いため、訓練者５の目５１の向きを正確に検出することが可能となる。
【００２５】
図２は上記の視力回復訓練装置の制御系の概略構成を示すブロック図である。同図に示す制御装置は、視力回復訓練装置全体の動作を制御する主制御部６１と、訓練者５の目５１の位置と表示部２１の視力訓練用画像の位置との光学距離を変化させる移動制御部６２と、その光学距離に応じて上記視力訓練用画像が訓練者５の目５１の網膜上に一定のサイズで投影されるように視力訓練用画像の表示サイズを変化させる表示制御部６３と、操作部６５と、カメラ４が撮影した画像から訓練者５の目５１の向きを解析する解析部６５と、訓練者５へのメッセージを伝達するメッセージ伝達部６６とを備え、メッセージ伝達部６６は、音声合成部６６１とスピーカー６６２から構成されている。
【００２６】
上記のように構成された視力回復訓練装置の筐体１は、接眼部１１を除いて筐体１全体を覆って外光が入らないようになっており、訓練者５は接眼部１１から内部を覗けるようになっている。そして、訓練中の訓練者５の目５１は接眼部１１を通してカメラ４により撮影され、その撮影された画像は解析部６５に伝送される。解析部６５はカメラ４からの画像を基に訓練者５の目５１の向きを解析し、訓練者５が視力訓練用画像を注視しているかどうか判断する。メッセージ伝達部６６は、解析部６５の解析結果から訓練者５が視力訓練用画像を注視していないと判断された場合、訓練者５にメッセージを伝達する。
【００２７】
上記構成によれば、訓練者５は、訓練中に表示部２１の視力訓練用画像を注視していないことを認識でき、確実に視力訓練用画像を注視しながら訓練を行うことが可能になり、訓練の効率を向上させることができる。その際、メッセージ伝達部６６は音声によりメッセージを伝達するので、訓練を中断することなく、視力訓練用画像を注視するよう注意を促すことが可能となる。
【００２８】
上記の訓練者５の目５１の位置と表示部２１の視力訓練用画像との光学距離は、移動制御部６２によって変更することができる。本実施の形態では、訓練者５の目５１の位置と視力訓練用画像を表示する表示部２１の位置との光学距離に応じて、視力訓練用画像が訓練者５の目５１の網膜上に一定のサイズで投影されるように、視力訓練用画像の表示サイズを変化させている。また、訓練者５の目５１の位置と表示部２１の位置との光学距離に比例して、視力訓練用画像の表示サイズを変化させている。
【００２９】
ここで、主制御部６１は、操作部６４の指示に基づき、移動制御部６２及び表示制御部６３を制御する。移動制御部６２は、モータ３２に対する駆動信号を出力して表示手段２の移動を制御する。その際、操作部６４の設定に応じた情報を主制御部６１から取得し、表示手段２の移動範囲及び移動速度を制御する。表示手段２の移動は、連続的に行ってもよいし、間欠的に行ってもよい。間欠的に行う場合は、視力訓練用画像は所定時間移動しないことになる。
【００３０】
表示制御部６３は、表示部２１を駆動し、所定の形状及び大きさの訓練用画像を表示させる。その際、訓練者５の目５１の位置と表示部２１との間の光学距離に比例した大きさの訓練用画像を表示する。訓練者５の目５１の位置と表示部２１との間の光学距離に関する情報は、主制御部６１から取得する。訓練者５の目５１の位置と表示部２１との間の光学距離に比例した大きさの訓練用画像を表示するためのデータは、その都度演算してもよいし、予め記憶したものを読み出して、表示部２１に送ってもよい。
【００３１】
操作部６４は、訓練者５が操作して、視力回復訓練装置の動作態様等を設定するものであり、例えば表示手段２の移動範囲及び移動速度の設定、視力訓練用画像の種類の設定等を行う。カメラ４によって撮影された訓練中の訓練者５の目５１の画像は解析部６５に送られ、訓練者５が視力訓練用画像を注視しているかどうか判断される。訓練者５が視力訓練用画像を注視していない場合は、主制御部６１に信号が送られる。主制御部６１は解析部６５からの信号を受け取ると、音声合成部６６1に信号を送る。音声合成部６６１は信号を受け取ると、訓練者５に視力訓練用画像を注視するようにメッセージを合成し、スピーカー６６２から音声で訓練者５に伝達する。
【００３２】
このように、視力回復訓練を行う場合、訓練者５は筐体１の接眼部１１から内部を覗き、表示部２１に表示される視力訓練用画像を注視する。視力訓練用画像は、表示手段２の移動に応じてその表示位置が変化するため、訓練者５は表示位置が変化する視力訓練用画像を見ることになる。このとき、訓練者５が視力訓練用画像を注視していない場合は、視力訓練用画像を注視するようにメッセージがスピーカー６６２から流れるので、訓練者５は視力訓練用画像を注視するようになる。したがって、視力回復訓練を確実に実施することが可能となる。
【００３３】
なお、上記の説明では視力訓練用画像を注視するように音声でメッセージを伝達するようにしたが、表示部２１にメッセージを表示するようにしても構わない。この場合、騒音などのある環境下でも注意を促すことが可能となる。
【産業上の利用可能性】
【００３４】
本発明は、訓練者が、訓練中に、表示部を注視していないことを認識できる為、確実に表示部を注視しながら訓練を行うことが可能になり、訓練の効率を向上させることができる効果を有し、目の結像調節機能の訓練を行う視力回復訓練装置等に有用である。
【図面の簡単な説明】
【００３５】
【図１】本発明の実施の形態の視力回復訓練装置の概略構成を示す図
【図２】本発明の実施の形態の視力回復訓練装置の制御系の概略構成を示すブロック図
【符号の説明】
【００３６】
１  筐体
２  表示手段
３  移動手段
４  カメラ
５  訓練者
１１  接眼部
２１  表示部
３１  ベルト
３２  モータ
３３  プーリー
６１  主制御部
６２  移動制御部
６３  表示制御部
６４  操作部
６５  解析部
６６  メッセージ伝達部
６６１  音声合成部
６６２  スピーカー
【図１】
2007021085.tif 000003
【図２】
2007021085.tif 000004